(57)【要約】【課題】本発明は簡単な構造で、ケーブルの引き出し方向の自由度を持たせることができ、ケーブルの接続性や作業性が良い構造の電気コネクタを提供する。【解決手段】本目的は相手コンタクトと接続する接触部１２１とケーブル８０と接続する接続部とを有する複数のコンタクト１２と、コンタクト１２を配列・保持する少なくとも１つの絶縁物とを備える電気コネクタ１０において、少なくとも１つの絶縁物には、コンタクト１２が保持される保持手段を設け、コンタクト１２の接続部には、第１ナット２２が動かないように保持される空間１２２とボルト２０が入る貫通孔１２３とを設け、ケーブル８０が固定された端子２６を、空間１２２に保持した状態の第１ナット２２と第２ナット２４とをボルト２０に螺着することにより挟持し、ケーブル８０を、ケーブル８０の突出方向を９０度変位できるように保持できることを特徴とする電気コネクタ１０により達成できる。【選択図】  図１
2012234654.tif 000002
【特許請求の範囲】
【請求項１】
相手コンタクトと接続する接触部とケーブルと接続する接続部とを有する複数のコンタクトと、該コンタクトを配列・保持する少なくとも１つの絶縁物とを備える電気コネクタにおいて、
少なくとも１つの前記絶縁物には、前記コンタクトが保持される保持手段を設け、
前記コンタクトの接続部には、第１ナットが動かないように保持される空間とボルトが入る貫通孔とを設け、
前記ケーブルが固定された端子を、前記空間に保持した状態の前記第１ナットと第２ナットとを前記ボルトに螺着することにより挟持し、
前記ケーブルを、前記ケーブルの突出方向を９０度変位できるように保持できることを特徴とする電気コネクタ。
【請求項２】
前記空間は、２つの側壁部と該側壁部より略９０度折曲られた折曲部と前記貫通孔の端部と連設した突出片とにより形成し、２つの側壁部と２つの折曲部と突出片により前記第１ナットを保持することを特徴とする請求項１記載の電気コネクタ。
【請求項３】
前記ボルトと前記第１ナットとの間に、ネジ緩み防止手段を設けることを特徴とする請求項１または２記載の電気コネクタ。
【請求項４】
２本の検出コンタクトを配置することを特徴とする請求項１または２、３記載の電気コネクタ。
【発明の詳細な説明】
【技術分野】
【０００１】
本発明は、車載機器や通信機器や電気機器や電子機器に使用される電気コネクタに関するもので、特に、接続されるケーブルの突出方向に自由度（突出方向を変えられる）を持たせる構造に関するものである。
【背景技術】
【０００２】
一般的に、ケーブルが接続される電気コネクタは、相手コンタクトと接続する接触部とケーブルと接続する接続部とを有する複数のコンタクトと、該コンタクトを配列・保持する少なくとも１つの絶縁物とを備えている。下記に示す特許文献１の図１や図２のように、ケーブルは一方向側に突出されている。
下記に、ケーブルが接続した本出願人が提案した文献として、特許文献１（特願２０１１−２７１４８）を挙げます。
【特許文献１】特願２０１１−２７１４８の要約によると、簡単な構造で、コネクタの小型化ができ、感電の恐れの無い電気コネクタを提供することを目的とし、少なくともプラグハウジング１１２とプラグコンタクト１２６とを有するプラグコネクタ１１０と、少なくともレセプタクルハウジング１５２とレセプタクルコンタクト１６６とを有するレセプタクルコネクタ１５０と、が着脱自在に嵌合する電気コネクタ１００であって、レセプタクルコネクタ１５０のレセプタクルコンタクト収容孔１７４内に収容されたレセプタクルコンタクト１６６の先端より嵌合側に近い位置に感電防止部１７６を設け、プラグコネクタ１１０のプラグコンタクト１２６の先端側に感電防止部１７６を逃げるプラグコンタクトスリット１３６が設けることを特徴とする電気コネクタ１００が開示されている。
【発明の開示】
【発明が解決しようとする課題】
【０００３】
従来は、接続端子とケーブルを圧着した後に、コネクタに装着していた為、特許文献１のように、ケーブルを一方向にしか引き出すことが出来なく、ケーブルの接続性や作業性が悪いと言った課題があった。
【０００４】
本発明は、このような従来の問題点に鑑みてなされたもので、簡単な構造で、ケーブルの引き出し方向の自由度を持たせることができ、ケーブルの接続性や作業性が良い構造の電気コネクタを提供せんとするものである。
【課題を解決するための手段】
【０００５】
本目的は、請求項１記載のように、相手コンタクトと接続する接触部とケーブルと接続する接続部とを有する複数のコンタクトと、該コンタクトを配列・保持する少なくとも１つの絶縁物とを備える電気コネクタにおいて、
少なくとも１つの前記絶縁物には、前記コンタクトが保持される保持手段を設け、
前記コンタクトの接続部には、第１ナットが動かないように保持される空間とボルトが入る貫通孔とを設け、
前記ケーブルが固定された端子を、前記空間に保持した状態の前記第１ナットと第２ナットとを前記ボルトに螺着することにより挟持し、
前記ケーブルを、前記ケーブルの突出方向を９０度変位できるように保持できることを特徴とする電気コネクタにより達成できる。
【０００６】
請求項２記載の電気コネクタは、前記空間は、２つの側壁部と該側壁部より略９０度折曲られた折曲部と前記貫通孔の端部と連設した突出片とにより形成し、２つの側壁部と２つの折曲部と突出片により前記第１ナットを保持することを特徴とする請求項１記載の電気コネクタにある。
また、請求項３記載の電気コネクタは、前記ボルトと前記第１ナットとの間に、ネジ緩み防止手段を設けることを特徴とする請求項１または２記載の電気コネクタにある。
さらに、請求項４記載の電気コネクタは、２本の検出コンタクトを配置することを特徴とする請求項１または２、３記載の電気コネクタにある。
【発明の効果】
【０００７】
以上の説明から明らかなように、本発明の電気コネクタによると、次のような優れた効果が得られる。本電気コネクタでは、コネクタに配置された後のコンタクトに第１ナットと第２ナットとで共締めしているため、ケーブルの引き出し方向の自由度（突出方向を９０度変位させられる）を持たせることができ、ケーブルの接続性や作業性が良く、安定した接続が得られる。
（１）請求項１記載のように、相手コンタクトと接続する接触部とケーブルと接続する接続部とを有する複数のコンタクトと、該コンタクトを配列・保持する少なくとも１つの絶縁物とを備える電気コネクタにおいて、少なくとも１つの前記絶縁物には、前記コンタクトが保持される保持手段を設け、前記コンタクトの接続部には、第１ナットが動かないように保持される空間とボルトが入る貫通孔とを設け、前記ケーブルが固定された端子を、前記空間に保持した状態の前記第１ナットと第２ナットとを前記ボルトに螺着することにより挟持し、前記ケーブルを、前記ケーブルの突出方向を９０度変位できるように保持できることを特徴とする電気コネクタにしているので、簡単な構造で、ケーブルの引き出し方向の自由度を持たせることができ、ケーブルの接続性や作業性が良く、安定した接続が得られる。
（２）請求項２記載の電気コネクタは、前記空間は、２つの側壁部と該側壁部より略９０度折曲られた折曲部と前記貫通孔の端部と連設した突出片とにより形成し、２つの側壁部と２つの折曲部と突出片により前記第１ナットを保持することを特徴とする請求項１記載の電気コネクタにしているので、簡単に、コネクタに配置された後のコンタクトに第１ナットと第２ナットとで共締めでき、ケーブルの引き出し方向の自由度を持たせることができ、ケーブルの接続性や作業性が良く、安定した接続が得られる。
（３）請求項３記載の電気コネクタは、前記ボルトと前記第１ナットとの間に、ネジ緩み防止手段を設けることを特徴とする請求項１または２記載の電気コネクタにしているので、簡単に、コネクタに配置された後のコンタクトに第１ナットと第２ナットとで共締めでき、第１ナットが緩み難く、ケーブルの引き出し方向の自由度を持たせることができ、ケーブルの接続性や作業性が良く、安定した接続が得られる。
（４）請求項４記載の電気コネクタは、２本の検出コンタクトを配置することを特徴とする請求項１または２、３記載の電気コネクタにしているので、簡単に、コネクタに配置された後のコンタクトに第１ナットと第２ナットとで共締めでき、第１ナットが緩み難く、ケーブルの引き出し方向の自由度を持たせることができ、ケーブルの接続性や作業性が良く、安定した接続が得られ、２本の検出コンタクトとコンタクトの配置位置によって相手コネクタとの嵌合時の方向性を無くすことも可能である。
る。
【図面の簡単な説明】
【０００８】
【図１】（Ａ）  ケーブルが接続されていない状態での本発明の電気コネクタを嵌合方向より見た斜視図である。（Ｂ）  ケーブルが接続されていない状態での本発明の電気コネクタを接続方向より見た斜視図である。（Ｃ）  ケーブルが接続されていない状態での本発明の電気コネクタをコンタクト部分で断面した断面図である。
【図２】（Ａ）  ケーブルが真下に接続された状態での本発明の電気コネクタを接続方向より見た斜視図である。（Ｂ）  ケーブルが９０度方向に接続された状態での本発明の電気コネクタを接続方向より見た斜視図である。
【図３】（Ａ）  ケーブルが接続された状態での本発明の電気コネクタを、あるコンタクト部分で断面した断面図である。（Ｂ）  ケーブルが接続された状態での本発明の電気コネクタを、検出コンタクト部分で断面した断面図である。
【図４】ケーブルが接続され、ハウジングを外した状態の本発明の電気コネクタを、嵌合方向よりみた斜視図である。
【図５】（Ａ）  コンタクト及びボルト、ナットの斜視図である。（Ｂ）  ボルト及びナットが保持された状態のコンタクトの斜視図である。（Ｃ）  コンタクトを中央部分で断面した断面図である。
【図６】（Ａ）  ハウジングを嵌合方向より見た斜視図である。（Ｂ）  ハウジングを接続方向より見た斜視図である。（Ｃ）  ハウジングを、あるコンタクト挿入部分で断面した断面図である。（Ｄ）  ハウジングを、ある検出コンタクト挿入部分で断面した断面図である。
【図７】（Ａ）  ブロックを嵌合方向より見た斜視図である。（Ｂ）  ブロックを接続方向より見た斜視図である。（Ｃ）  ブロックを、あるコンタクト装着部分で断面した断面図である。（Ｄ）  ブロックを、中央部分で断面した断面図である。
【図８】（Ａ）  検出用コンタクトを嵌合方向より見た斜視図である。（Ｂ）  検出用コンタクトを接続方向より見た斜視図である。
【図９】電気コネクタとパネルに取り付け状態の斜視図である。
【発明を実施するための最良の形態】
【０００９】
本発明の特徴は、相手コンタクトと接続する接触部１２１とケーブル８０と接続する接続部とを有する複数のコンタクト１２と、該コンタクト１２を配列・保持する少なくとも１つの絶縁物とを備える電気コネクタ１０において、少なくとも１つの前記絶縁物には、前記コンタクト１２が保持される保持手段を設け、前記コンタクト１２の接続部には、第１ナット２２が動かないように保持される空間１２２とボルト２０が入る貫通孔１２３とを設け、前記ケーブル８０が固定された端子２６を、前記空間１２２に保持した状態の前記第１ナット２２と第２ナット２４とを前記ボルト２０に螺着することにより挟持し、前記ケーブル８０を、前記ケーブル８０の突出方向を９０度変位できるように保持できることを特徴とする電気コネクタ１０である。
つまり、本電気コネクタ１０では、前記コンタクト１２に２つの側壁部１２４と２つの折曲部１２５と突出片１２６とで形成する空間１２２を設け、該空間１２２に第１ナット２２を入れ、ケーブル８０が接続された端子２６を、前記空間１２２に保持した状態の前記第１ナット２２と第２ナット２４とを前記ボルト２０に螺着することにより挟持し、前記ケーブル８０を、前記ケーブル８０の突出方向を９０度変位できるようにしたものである。
【００１０】
図に基づいて、本発明の電気コネクタ１０について説明する図１（Ａ）はケーブルが接続されていない状態での本発明の電気コネクタを嵌合方向より見た斜視図であり、（Ｂ）はケーブルが接続されていない状態での本発明の電気コネクタを接続方向より見た斜視図であり、（Ｃ）はケーブルが接続されていない状態での本発明の電気コネクタをコンタクト部分で断面した断面図である。図２（Ａ）はケーブルが真下に接続された状態での本発明の電気コネクタを接続方向より見た斜視図であり、（Ｂ）はケーブルが９０度方向に接続された状態での本発明の電気コネクタを接続方向より見た斜視図である。図３（Ａ）はケーブルが接続された状態での本発明の電気コネクタを、あるコンタクト部分で断面した断面図であり、（Ｂ）はケーブルが接続された状態での本発明の電気コネクタを、検出コンタクト部分で断面した断面図である。図４はケーブルが接続され、ハウジングを外した状態の本発明の電気コネクタを、嵌合方向よりみた斜視図である。図５（Ａ）はコンタクト及びボルト、ナットの斜視図であり、（Ｂ）はボルト及びナットが保持された状態のコンタクトの斜視図であり、（Ｃ）はコンタクトを中央部分で断面した断面図である。図６（Ａ）はハウジングを嵌合方向より見た斜視図であり、（Ｂ）はハウジングを接続方向より見た斜視図であり、（Ｃ）はハウジングを、あるコンタクト挿入部分で断面した断面図であり、（Ｄ）はハウジングを、ある検出コンタクト挿入部分で断面した断面図である。図７（Ａ）はブロックを嵌合方向より見た斜視図であり、（Ｂ）はブロックを接続方向より見た斜視図であり、（Ｃ）はブロックを、あるコンタクト装着部分で断面した断面図であり、（Ｄ）はブロックを、中央部分で断面した断面図である。図８（Ａ）は検出用コンタクトを嵌合方向より見た斜視図であり、（Ｂ）は検出用コンタクトを接続方向より見た斜視図である。図９は電気コネクタとパネルに取り付け状態の斜視図である。
電気コネクタ１０は少なくとも複数のコンタクト１２と該コンタクト１２が保持・配列される絶縁体とを備えている。本実施例では、前記絶縁体をハウジング１４とブロック１６との分割にし、さらに、検出コンタクト１８を備えている。
【００１１】
本発明の電気コネクタ１０について説明する前に、前記電気コネクタ１０に接続されるケーブル８０、８２について説明する。前記ケーブル８０、８２は、端子やコンタクトに半田付けや圧着等により接続する芯線と該芯線を覆う編組と該編組を覆う外皮から構成されることが一般的である。
【００１２】
図に基づいて、本発明の電気コネクタ１０について説明する。まず、本発明のポイントである前記コンタクト１２について説明する。このコンタクト１２は金属製であり、公知技術のプレス加工によって製作されている。前記コンタクト１２の材質としては、バネ性や導電性などが要求されるので、黄銅やベリリウム銅やリン青銅等を挙げることができる。
【００１３】
前記コンタクト１２は、本実施例では図５のように略箱型形状をしている。前記コンタクト１２は、少なくとも相手物と接触する接触部１２１と前記ケーブル８０が接続する接続部とを有している。前記コンタクト１２は、本実施例ではハウジング１４とブロック１６とで挟み込むことで保持されている。
【００１４】
前記接触部１２１は相手物に接触できればよく、その形状・大きさは相手形状や接続安定性や加工性等を考慮して適宜設計する。本実施例では略ソケット形状にしている。
【００１５】
前記接続部としては、２つの側壁部１２４と２つの折曲部１２５と突出片１２６とで前記第１ナット２２が入る空間１２２を形成している。また、前記接続部にはボルト２０が入る貫通孔１２３が設けられている。前記空間１２２に前記第１ナット２２を入れ、前記ケーブル８０が接続された端子２６を、前記空間１２２に保持した状態の前記第１ナット２２と第２ナット２４とを前記ボルト２０に螺着することにより挟持し、前記ケーブル８０を、前記ケーブル８０の突出方向を９０度変位できるようにしている。
【００１６】
２つの側壁部１２４と２つの折曲部１２５と突出片１２６とで形成している前記空間１２２は、前記第１ナット２２が入ればよく、前記第１ナット２２の形状に沿い、かつ、安定した接続が得られるように、保持力や強度や加工性等を考慮して適宜設計する。２つの側壁部１２４と２つの折曲部１２５と突出片１２６も、同様に、保持力や強度や加工性等を考慮して適宜設計する。
【００１７】
次に、前記検出用コンタクト１８について説明する。この検出用コンタクト１８は金属製であり、公知技術のプレス加工によって製作されている。前記検出用コンタクト１８の材質としては、バネ性や導電性などが要求されるので、黄銅やベリリウム銅やリン青銅等を挙げることができる。
【００１８】
前記検出用コンタクト１８は、本実施例では略箱型形状をしている。前記検出用コンタクト１８は、少なくとも相手物と接触する接触部１８１と前記ケーブル８２が接続する接続部１８３とを有している。前記検出用コンタクト１８はハウジング１４に保持できれば、如何なる方法でも保持してもよく、圧入や引っ掛け（ランス）や溶着等が挙げられるが、本実施例では引っ掛け（ランス１８２）よって保持されている。
【００１９】
前記接触部１８１は相手物と接触できればよく、接続安定性や寸法安定性や加工性等を考慮して適宜設計する。本実施例では、相手物が挿入できるように、ソケット形状にしている。
【００２０】
前記接続部１８３は前記ケーブル８２と接続できればよく、圧着や圧接や半田付け等によって接続されている。本実施例では圧着によって接続されている。
【００２１】
前記検出用コンタクト１８は使用しない場合もあるが、車載に用いる場合には安全装置（インターロック）のために使用されることが多い。
【００２２】
次に、ハウジング１４について説明する。このハウジング１４は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００２３】
前記ハウジング１４は略箱型形状をしており、相手コネクタと嵌合する嵌合部１４１と筐体に取り付けるためのフランジ１４２を有している。前記フランジ１４２には筐体に取り付けるための孔１４８が設けられている。前記孔１４８の形状・大きさは筐体に取り付けられればよく、保持力や強度や加工性等を考慮して適宜設計する。
【００２４】
前記ハウジング１４の嵌合部１４１には前記コンタクト１２が入る挿入孔１４３が設けられている。本実施例では前記嵌合部１４１の中心を対称として４つ設けられている。前記挿入孔１４３は前記コンタクト１２が入ればよく、その形状・大きさは接続安定性や保持力や強度や加工性等を考慮して適宜設計する。上記のように、前記嵌合部１４１の中心を点対称に配置することにより相手コネクタとの嵌合の方向性がないようにしている。
【００２５】
前記ハウジング１４の嵌合部１４１のほぼ中心には、前記検出用コンタクト１８が入る挿入穴１４４が設けられている。前記挿入穴１４４は前記検出用コンタクト１８が入り、保持できればよく、その形状・大きさは接続安定性や保持力や強度や加工性等を考慮して適宜設計する。本実施例では、引っ掛け（ランス）によって保持されているため、前記挿入穴１４４内には、前記検出用コンタクト１８のランスが引っかかる溝や孔等が設けられている。
【００２６】
前記ハウジング１４の嵌合部１４１の４辺のほぼ中央には、前記ブロックと固定するための係合手段（係止孔１４５、１４５と係止穴１４６、１４６）が設けられている。前記係止孔１４５には、前記ブロック１６の係合部１６４が係合する。前記係止孔１４５は、前記ブロック１６の係合部１６４が入り、前記ハウジング１４と前記ブロック１６とが一体に保持出来ればよく、その形状・大きさは保持力や強度や加工性等を考慮して適宜設計する。
【００２７】
前記係止穴１４６には、前記ブロック１６の係合片１６５が係合する。前記係止穴１４６は、前記ブロック１６の係合片１６５が入り、前記ハウジング１４と前記ブロック１６とが一体に保持出来ればよく、その形状・大きさは保持力や強度や加工性等を考慮して適宜設計する。
【００２８】
前記ハウジング１４の４辺の内の２辺で、前記嵌合部１４１の中心を対称に、相手コネクタと嵌合するための２つの係合部１４７が設けられている。前記係合部１４７は相手コネクタとの嵌合時に相手コネクタと係合する部分であり、略Ｌ形状をしている。前記係合部１４７の先端の突出部分が相手コネクタに引っかかることで嵌合している。前記係合部１４７は相手コネクタと係合し、安定した保持力が得られればよく、その形状・大きさは保持力や強度や加工性等を考慮して適宜設計する。
【００２９】
最後に、ブロック１６について説明する。このブロック１６は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００３０】
前記ブロック１６は略板状片であり、本体部１６１とその４辺のほぼ中央には前記ハウジング１４と固定するための係合手段（係合部１６４、１６４と係合片１６５、１６５）が設けられている。また、前記ハウジング１４の挿入孔１４３及び挿入穴１４４に対応する位置には保持部１６２及び逃げ部１６３が設けられている。
【００３１】
前記保持部１６２は、前記コンタクト１２を前記ハウジング１４とで挟み込むことで、前記コンタクト１２を保持する部分である。前記保持部１６２は、前記コンタクト１２を前記ハウジング１４とで挟み込むことができ、保持できればよく、その形状・大きさは、前記コンタクト１２の形状・大きさに沿い、接続安定性や保持力や強度や加工性等を考慮して適宜設計する。
【００３２】
前記逃げ部１６３は、前記検出用コンタクト１８に接続されたケーブル８２を逃げるための部分である。前記逃げ部１６３は前記検出用コンタクト１８に接続されたケーブル８２を逃げられればよく、その形状・大きさはこの役割や強度や加工性等を考慮して適宜設計する。
【００３３】
前記係合手段（係合部１６４、１６４と係合片１６５、１６５）は、前記ハウジング１４と前記ブロック１６とを一体に保持するためのものである。前記係合部１６４は、前記ハウジング１４の係止孔１４５に係合する部分である。前記係合部１６４は前記係止孔１４５に入り、前記ハウジング１４と前記ブロック１６とを一体に保持できればよく、その形状・大きさは保持力や強度や弾性や加工性等を考慮して適宜設計する。本実施例では略Ｖ字形状をして二股形状にし、２つの自由端が前記係止孔１４５に引っかかるようにしている。
【００３４】
前記係合片１６５は、前記ハウジング１４の係止穴１４６に係合する部分である。前記係合片１６５は前記係止穴孔１４６に入り、前記ハウジング１４と前記ブロック１６とを一体に保持できればよく、その形状・大きさは保持力や強度や弾性や加工性等を考慮して適宜設計する。本実施例では略Ｌ字形状をし、自由端の突出部が前記係止穴１４６に引っかかるようにしている。
【００３５】
さらに、図９に基づいて、電気コネクタ１０をパネル２８に取り付けた場合について説明する。本実施例では、前記パネル２８を前記ハウジング１４のフランジ１４２の下側に取り付けているが、場合によっては前記フランジ１４２の上側に取り付けてもよい。客先の仕様等によって変更する。
【産業上の利用可能性】
【００３６】
本発明は、車載機器や通信機器や電気機器や電子機器に使用される電気コネクタに活用され、特に、接続されるケーブルの突出方向に自由度（突出方向を変えられる）を持たせる構造に関するものである。
【符号の説明】
【００３７】
１０        電気コネクタ
１２        コンタクト
１２１      接触部
１２２      空間
１２３      貫通孔
１２４      側壁部
１２５      折曲部
１２６      突出片
１４        ハウジング
１４１      嵌合部
１４２      フランジ
１４３      挿入孔
１４４      挿入穴
１４５      係止孔
１４６      係止穴
１４７      係合部
１６        ブロック
１６１      本体部
１６２      保持部
１６３      逃げ部
１６４      係合部
１６５      係合片
１８        検出コンタクト
１８１      接触部
１８２      保持部（ランス）
１８３      接続部
２０        ボルト
２０１      螺着部
２２        第１ナット
２４        第２ナット
２６        端子
２８        パネル
８０        ケーブル
８２        ケーブル（検出用）
【図１】
2012234654.tif 000003
【図２】
2012234654.tif 000004
【図３】
2012234654.tif 000005
【図４】
2012234654.tif 000006
【図５】
2012234654.tif 000007
【図６】
2012234654.tif 000008
【図７】
2012234654.tif 000009
【図８】
2012234654.tif 000010
【図９】
2012234654.tif 000011